(57)【要約】【課題】入力端子に接続されている画像出力装置を容易に選択できるプロジェクターを提供する。【解決手段】プロジェクター１は、第１の入力端子Ｔ１、第２の入力端子Ｔ２、第３の入力端子Ｔ３と、各入力端子に映像信号が入力されたことを検出してその検出結果を出力する第１の入力検出部２３１、第２の入力検出部２３２、第３の入力検出部２３３と、各入力端子への映像信号の入力の状態を表示すると共に、入力操作に基づき入力端子を選択する操作信号を出力する第１の表示操作部３１、第２の表示操作部３２、第３の表示操作部３３と、検出結果に基づいて、映像信号をプロジェクター１が処理可能か否かを判定してその判定結果を各表示操作部に表示させると共に、操作信号に従って入力端子を選択し、選択された入力端子から入力された映像信号がプロジェクター１で処理可能な場合、映像信号に応じた画像光を投写させる制御部２０と、を備える。【選択図】図２
2010256753.tif 000002
【特許請求の範囲】
【請求項１】
光源から射出された光束を映像信号に応じて変調して画像光を形成し、前記画像光を投写するプロジェクターであって、
前記映像信号が入力される複数の入力端子と、
前記入力端子に前記映像信号が入力されたことを検出してその検出結果を出力する入力検出部と、
前記入力端子への前記映像信号の入力の状態を表示すると共に、入力操作に基づき前記入力端子を選択する操作信号を出力する表示操作部と、
前記検出結果に基づいて、前記映像信号を当該プロジェクターが処理可能か否かを判定してその判定結果を前記表示操作部に表示させると共に、前記操作信号に従って前記入力端子を選択する制御部と、
を備え、
前記制御部は、前記選択された入力端子から入力された前記映像信号が当該プロジェクターで処理可能な場合、当該映像信号に応じた前記画像光を投写させることを特徴とするプロジェクター。
【請求項２】
請求項１に記載のプロジェクターであって、
前記制御部は、前記選択された入力端子から入力された前記映像信号が当該プロジェクターで処理できない場合、当該映像信号に応じた前記画像光を投写させないことを特徴とするプロジェクター。
【請求項３】
請求項１または請求項２に記載のプロジェクターであって、
前記制御部は、前記複数の入力端子のうち、いずれの入力端子が選択されているかを前記表示操作部の表示させることを特徴とするプロジェクター。
【請求項４】
請求項１〜請求項３のいずれか一項に記載のプロジェクターであって、
前記表示操作部は、発光体、および押圧式スイッチを備えていることを特徴とするプロジェクター。
【請求項５】
請求項１〜請求項３のいずれか一項に記載のプロジェクターであって、
前記表示操作部は、各種情報を表示する表示部、および前記表示部に重なる入力領域を有するタッチ入力部を備えたタッチパネルであることを特徴とするプロジェクター。
【発明の詳細な説明】
【技術分野】
【０００１】
本発明は、画像光を投写するプロジェクターに関する。
【背景技術】
【０００２】
従来、光源から射出された光束を映像信号に応じて変調することによって画像光を形成し、その画像光をスクリーン等に投写するプロジェクターが知られている。プロジェクターは、複数の入力端子を備え、この入力端子からＰＣ（Personal Computer）、ＤＶＤ（Digital Versatile Disc）プレーヤーやＶＴＲ（Video Tape Recorder）等の画像出力装置の映像信号が入力される。そして、使用者は、所定の操作を行うことによって、画像出力装置からの映像信号を選択して画像光を投写させる。所望の映像信号を選択するために、どの入力端子に映像信号が入力されているかを表示するプロジェクターが提案されている（例えば、特許文献１参照）。
【０００３】
特許文献１のプロジェクターは、映像探索ボタンおよびソース選択ボタン等を備え、出荷段階におけるデフォルトの入力端子に接続された画像出力装置からの映像信号に応じた画像光を投写するようになっている。そして、このプロジェクターは、映像探索ボタンが操作されると、各入力端子への映像信号の有無を順次確認し、その結果をＯＳＤ（On Screen Display）にて表示する。そして、このプロジェクターは、映像信号が入力された入力端子に対応するソース選択ボタンが操作されると、その入力端子に接続された画像出力装置に切り換えて投写する。
【先行技術文献】
【特許文献】
【０００４】
【特許文献１】特開２００６−２８５１６７号公報
【発明の概要】
【発明が解決しようとする課題】
【０００５】
しかしながら、特許文献１に記載のプロジェクターは、デフォルトの入力端子に映像信号が入力されていない場合には、映像信号が入力されていない旨が表示されるため、使用者に、他の入力端子にも映像信号が入力されていないという誤解を与えてしまう恐れがある。また、特許文献１に記載のプロジェクターは、各入力端子に映像信号が入力されているか否かを探索するために映像探索ボタンを操作した後、各入力端子への映像信号の有無を順次確認する時間を要し、ＯＳＤを表示させるまではその探索結果がわからないという課題がある。また、所望の画像出力装置を選択するために、映像探索ボタンの操作や、ＯＳＤを観察しながらのソース選択ボタンの操作が必要であり、不慣れな使用者にとっては、操作が煩雑になるという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を映像信号に応じて変調して画像光を形成し、前記画像光を投写するプロジェクターであって、前記映像信号が入力される複数の入力端子と、前記入力端子に前記映像信号が入力されたことを検出してその検出結果を出力する入力検出部と、前記入力端子への前記映像信号の入力の状態を表示すると共に、入力操作に基づき前記入力端子を選択する操作信号を出力する表示操作部と、前記検出結果に基づいて、前記映像信号を当該プロジェクターが処理可能か否かを判定してその判定結果を前記表示操作部に表示させると共に、前記操作信号に従って前記入力端子を選択する制御部と、を備え、前記制御部は、前記選択された入力端子から入力された前記映像信号が当該プロジェクターで処理可能な場合、当該映像信号に応じた前記画像光を投写させることを特徴とする。
【０００８】
この構成によれば、表示操作部を観察することで、複数の入力端子のうち、どの入力端子に映像信号が入力されているかを明確に認識できる。つまり、使用者は、どの画像出力装置を選択できるかを即座に判断することができる。
【０００９】
また、入力検出部は、入力端子に入力された映像信号に含まれる同期信号に対応する情報、例えば、映像信号の垂直／水平同期信号の周波数等を出力し、制御部は、その出力された結果に基づいて、プロジェクターが対応可能な映像信号か否かを判定する。これによって、制御部は、入力端子に入力された映像信号がプロジェクターで処理可能な映像信号（以下「正規信号」という）と、対応できない映像信号（以下「不正規信号」という）とで異なった制御が可能となる。例えば、入力端子毎に、正規信号が入力されているのか不正規信号が入力されているのかを表示操作部に表示したり、音声で案内したりすることができる。すなわち、入力端子に入力された映像信号が不正規信号の場合、この映像信号によって画像光を投写できないことを視覚的・聴覚的に使用者に認識させることが可能となる。したがって、使用者の不要な探索作業（投写できない原因を探索する作業）の低減が可能となり、プロジェクターの取扱い性が向上する。
【００１０】
さらに、表示操作部は、入力端子を選択する入力操作を受け付ける機能を有し、映像信号が入力された入力端子が選択されると制御部に対して所定の操作信号を出力する。制御部は、この表示操作部からの操作信号に従って入力端子を選択し、当該入力端子から入力された映像信号が処理可能なときは、当該映像信号に応じた画像光を投写させる。これによって、使用者は、入力された映像信号が正規信号であると判定された入力端子を即座に選択し、その画像光を投写させることができる。したがって、画像出力装置を選択するための操作が簡略化され、プロジェクターの操作性向上が図れる。
【００１１】
［適用例２］上記適用例に係るプロジェクターにおいて、前記制御部は、前記選択された入力端子から入力された前記映像信号が当該プロジェクターで処理できない場合、当該映像信号に応じた前記画像光を投写させないことが好ましい。
【００１２】
この構成によれば、制御部は、入力端子に入力された映像信号が不正規信号の場合には、この映像信号に応じた画像光を投写させない。よって、不正規信号がもたらす乱れた画像が投写されることがないので、不正規信号が入力されたとしても、プロジェクターが故障しているという誤解を使用者に与える恐れがない。
【００１３】
［適用例３］上記適用例に係るプロジェクターにおいて、前記制御部は、前記複数の入力端子のうち、いずれの入力端子が選択されているかを前記表示操作部の表示させることが好ましい。
【００１４】
この構成によれば、制御部は、正規信号が入力された入力端子に対応する表示操作部について、入力操作された表示操作部と、入力操作されない表示操作部とで異なった態様に表示させる。これによって、使用者は、いずれの画像出力装置からの映像信号に応じた画像光が投写されているか、どの画像出力装置からの映像信号に応じた画像光が投写可能かを即座に知ることができる。したがって、使用者は、所望の画像出力装置を即座に選択することが可能となり、利便性の向上が図れる。
【００１５】
［適用例４］上記適用例に係るプロジェクターにおいて、前記表示操作部は、発光体、および押圧式スイッチを備えていることが好ましい。
【００１６】
この構成によれば、表示操作部は、発光体（例えば、ＬＥＤ等）を備えているので、この発光体を発光させることで、入力端子に映像信号が入力されていることを使用者に明確に認識させることができる。また、表示操作部は、暗い環境下でも使用者に認識させることができるので、プロジェクターの使用シーンを広げた適用が可能となる。
さらに、表示操作部は、発光体の発光色が切り換えられたり、点灯や点滅による発光状態が切り換えられたりすることで、複数の表示態様が可能なので、部品点数を増加させることなく、入力端子に正規信号が入力された場合と、不正規信号が入力された場合とを区別して表示したり、入力操作された場合と、入力操作されない場合とを区別して表示したりすることが可能となる。
また、表示操作部は、押圧式スイッチを備えているので、使用者は、表示操作部を押圧する操作だけで、操作された表示操作部に応じた操作信号を容易に出力させることができる。
【００１７】
［適用例５］上記適用例に係るプロジェクターにおいて、前記表示操作部は、各種情報を表示する表示部、および前記表示部に重なる入力領域を有するタッチ入力部を備えたタッチパネルであることが好ましい。
【００１８】
この構成によれば、表示操作部は、表示部および表示部に積層されたタッチ入力部を有するタッチパネルとして構成されているので、入力端子に映像信号が入力されていること等を表示する部位と、入力操作を行う部位とを目視上一致させることができる。これによって、使用者は、入力操作を行う箇所を直感的に判断することが可能となり、操作性の向上が図れる。また、表示操作部は、表示部とタッチ入力部とが積層されて形成されるので、小型化が可能となる。よって、プロジェクターは、表示操作部を配置する自由度が広がり、デザイン性向上が図れる。
【図面の簡単な説明】
【００１９】
【図１】第１実施形態のプロジェクターの外観を示す斜視図であり、（ａ）は、前方から見た図、（ｂ）は、後方から見た図。
【図２】第１実施形態のプロジェクターの概略構成を示すブロック図。
【図３】第１実施形態の操作パネルの外観を示す模式図。
【図４】第１実施形態のプロジェクターの動作を説明するフローチャート。
【図５】第１実施形態の表示操作部の表示例を示す模式図。
【図６】第１実施形態のプロジェクターの動作を説明するフローチャート。
【図７】第２実施形態の表示操作部の外観を示す模式図。
【発明を実施するための形態】
【００２０】
（第１実施形態）
以下、第１実施形態に係るプロジェクターについて、図面を参照して説明する。
本実施形態のプロジェクターは、光源から射出された光束を映像信号に応じて変調して画像光を形成し、その画像光をスクリーン等に拡大投写する。
図１は、本実施形態のプロジェクター１の外観を示す斜視図であり、図１（ａ）は、前方から見た図、図１（ｂ）は、後方から見た図である。
【００２１】
プロジェクター１は、図１（ａ）、（ｂ）に示すように、装置本体が外装筐体２に収容された構成を有している。外装筐体２の前面２ｆには、画像光を投写する投写レンズ１３が露出しており、外装筐体２の背面２ｒには、商用電源が供給される電源端子２８１、および画像情報入力部２４が設けられている。画像情報入力部２４には、第１の入力端子Ｔ１、第２の入力端子Ｔ２、第３の入力端子Ｔ３が配置されており、図示しない外部の画像出力装置は、ケーブルを介してこの第１の入力端子Ｔ１、第２の入力端子Ｔ２、第３の入力端子Ｔ３に接続される。そして、第１の入力端子Ｔ１、第２の入力端子Ｔ２、第３の入力端子Ｔ３には、画像出力装置から出力された映像信号が入力される。外装筐体２の上面２ｔには、プロジェクター１に対して各種指示を行うための操作パネル３０が備えられている。
【００２２】
図２は、本実施形態のプロジェクター１の概略構成を示すブロック図である。
プロジェクター１は、図２に示すように、画像投写部１０、制御部２０、記憶部２１、画像情報入力部２４、第１の入力検出部２３１、第２の入力検出部２３２、第３の入力検出部２３３、操作パネル３０、入力ソース選択部２５、画像処理部２６、ＯＳＤ処理部２７、電源回路２８および光源制御部２９等を備えている。
【００２３】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等で構成されている。画像投写部１０は、光源１１から射出された光束を、液晶ライトバルブ１２Ｒ，１２Ｇ，１２Ｂで変調して画像光を形成し、この画像光を投写レンズ１３から投写してスクリーンＳＣ等に表示する。
【００２４】
光源１１は、超高圧水銀ランプやメタルハライドランプ等からなる放電型の光源ランプ１１ａと、光源ランプ１１ａが放射した光束を液晶ライトバルブ１２Ｒ，１２Ｇ，１２Ｂ側に反射するリフレクター１１ｂとを有して構成されている。光源１１から射出された光束は、図示しないインテグレータ光学系によって輝度分布が略均一な光束に変換され、図示しない色分離光学系によって光の３原色である赤（Ｒ）、緑（Ｇ）、青（Ｂ）の各色光成分に分離された後、それぞれ液晶ライトバルブ１２Ｒ，１２Ｇ，１２Ｂに入射する。
【００２５】
液晶ライトバルブ１２Ｒ，１２Ｇ，１２Ｂは、一対の透明基板間に液晶が封入された液晶パネル等によって構成されている。液晶ライトバルブ１２Ｒ，１２Ｇ，１２Ｂには、マトリクス状に配列された複数の画素が形成されており、液晶に対して画素毎に画素電圧を印加可能になっている。
ライトバルブ駆動部１４は、液晶ドライバーであり、入力される映像信号に応じた駆動信号を液晶ライトバルブ１２Ｒ，１２Ｇ，１２Ｂにそれぞれ供給する。液晶ライトバルブ１２Ｒ，１２Ｇ，１２Ｂの各画素には、供給された駆動信号に応じた画素電圧が印加される。液晶ライトバルブ１２Ｒ，１２Ｇ，１２Ｂの各画素は、印加された画素電圧に応じた光透過率に設定され、光源１１から射出された光束は、この液晶ライトバルブ１２Ｒ，１２Ｇ，１２Ｂを通過することによって変調され、映像信号に応じた画像光が形成される。形成された各色の画像光は、図示しない色合成光学系によって画素毎に合成されてカラー画像を表す画像光となった後、投写レンズ１３によってスクリーンＳＣ等に拡大投写される。
【００２６】
制御部２０は、ＣＰＵ（Central Processing Unit）や、各種データ等の一時記憶に用いられるＲＡＭ（Random Access Memory）等を備え、記憶部２１に記憶されている制御プログラムにしたがって動作することによりプロジェクター１の動作を統括制御する。つまり、制御部２０は、記憶部２１とともにコンピューターとして機能する。
【００２７】
記憶部２１は、マスクＲＯＭ（Read Only Memory）や、フラッシュメモリー、ＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件を規定する各種設定データ等が記憶されている。
【００２８】
画像情報入力部２４は、前述したように、第１の入力端子Ｔ１、第２の入力端子Ｔ２、第３の入力端子Ｔ３を備え、この第１の入力端子Ｔ１、第２の入力端子Ｔ２、第３の入力端子Ｔ３からＰＣ、ＤＶＤプレーヤーやＶＴＲ等の画像出力装置の映像信号が入力される。
第１の入力端子Ｔ１は、例えば、ミニＤ-sub１５ピン端子であり、ＰＣから供給されるアナログＲＧＢ信号に対応している。また、ミニＤ-sub１５ピン端子の持つ１５ピンの信号線の使用割当てを変えることにより、コンポーネント信号も入力することができる。
第２の入力端子Ｔ２は、例えば、Ｓ端子であり、ＤＶＤプレーヤー等から供給されるＳ信号に対応している。
第３の入力端子Ｔ３は、例えば、１ＲＣＡ端子であり、ＶＴＲ等から供給されるコンポジット信号に対応している。
【００２９】
第１の入力端子Ｔ１、第２の入力端子Ｔ２、第３の入力端子Ｔ３に入力された映像信号は、入力ソース選択部２５に出力される。また、第１の入力端子Ｔ１、第２の入力端子Ｔ２、第３の入力端子Ｔ３に入力された映像信号は、第１の入力検出部２３１、第２の入力検出部２３２、第３の入力検出部２３３にそれぞれ出力される。具体的に、第１の入力端子Ｔ１に入力された映像信号は、第１の入力検出部２３１に出力され、第２の入力端子Ｔ２に入力された映像信号は、第２の入力検出部２３２に出力され、第３の入力端子Ｔ３に入力された映像信号は、第３の入力検出部２３３に出力される。なお、画像情報入力部２４には、第１の入力端子Ｔ１、第２の入力端子Ｔ２、第３の入力端子Ｔ３に加えて、音声信号を入力するためのステレオミニジャック等の音声入力端子や、ＵＳＢ端子、ＲＳ２３２Ｃ端子等が設けられているが、説明を簡単にするため図示を省略している。
【００３０】
第１の入力検出部２３１、第２の入力検出部２３２、第３の入力検出部２３３は、第１の入力端子Ｔ１、第２の入力端子Ｔ２、第３の入力端子Ｔ３にそれぞれ対応して設けられている。そして、第１の入力検出部２３１、第２の入力検出部２３２、第３の入力検出部２３３は、第１の入力端子Ｔ１、第２の入力端子Ｔ２、第３の入力端子Ｔ３に映像信号が入力されたことをそれぞれ検出してその検出結果を制御部２０に出力すると共に、入力された映像信号に含まれている同期信号に対応する情報、例えば、映像信号の垂直／水平同期信号の周波数等を制御部２０に出力する。
【００３１】
操作パネル３０は、入力操作部４０および第１の表示操作部３１、第２の表示操作部３２、第３の表示操作部３３を備えている。
図３は、操作パネル３０の外観を示す模式図である。
入力操作部４０は、使用者からの入力操作を受け付ける機能を有し、使用者がプロジェクター１に対して各種指示を行うための複数の操作キーを備えている。具体的に、入力操作部４０は、図３に示すように、電源のオン／オフを切り換える電源キー４１、各種設定を行うメニュー画像を表示させるメニューキー４２、メニュー画像上での項目の選択等に用いられるカーソルキー４３、メニュー画像において選択された項目を決定する決定キー４４、および実行中の機能を終了する戻りキー４５等を備えている。各操作キーは、押圧式スイッチを有して構成されており、使用者に押圧されることによって、押圧されたキー応じた操作信号を制御部２０に出力する。
【００３２】
第１の表示操作部３１、第２の表示操作部３２、第３の表示操作部３３は、第１の入力端子Ｔ１、第２の入力端子Ｔ２、第３の入力端子Ｔ３にそれぞれ対応して設けられている。具体的に、第１の表示操作部３１は、第１の入力端子Ｔ１に対応して設けられ、第２の表示操作部３２は、第２の入力端子Ｔ２に対応して設けられ、第３の表示操作部３３は、第３の入力端子Ｔ３に対応して設けられている。そして、第１の表示操作部３１、第２の表示操作部３２、第３の表示操作部３３は、第１の入力端子Ｔ１、第２の入力端子Ｔ２、第３の入力端子Ｔ３への映像信号の入力の状態をそれぞれ表示する機能、および使用者の入力操作に基づき入力端子を選択するための操作信号をそれぞれ出力する機能を有している。
【００３３】
具体的に、第１の表示操作部３１、第２の表示操作部３２、第３の表示操作部３３は、ＬＥＤ、押圧式スイッチおよびキートップをそれぞれ備え、発光ボタンとして構成されている。ＬＥＤは、赤色ＬＥＤおよび緑色ＬＥＤから構成されている。第１の表示操作部３１、第２の表示操作部３２、第３の表示操作部３３は、赤色ＬＥＤおよび緑色ＬＥＤの一方が発光する場合、赤色ＬＥＤおよび緑色ＬＥＤの双方が発光する場合が可能に構成されている。キートップは、合成樹脂製でありＬＥＤから発光された色光を透過可能に形成されている。つまり、第１の表示操作部３１、第２の表示操作部３２、第３の表示操作部３３は、赤色、緑色、オレンジ色に発光可能に構成されている。第１の表示操作部３１、第２の表示操作部３２、第３の表示操作部３３は、キートップが押圧（入力操作）されるとキートップが押圧式スイッチを押圧し、操作信号を制御部２０に出力する。
【００３４】
入力ソース選択部２５は、第１の入力端子Ｔ１、第２の入力端子Ｔ２、第３の入力端子Ｔ３のうち、制御部２０の指示に基づく１つの入力端子を選択し、この入力端子に入力される映像信号を画像処理部２６に出力する。
【００３５】
画像処理部２６は、入力ソース選択部２５から出力される各種形式の映像信号を、液晶ライトバルブ１２Ｒ，１２Ｇ，１２Ｂの各画素の階調を表す画像情報、すなわち各画素に印加する画素電圧を規定するための画像情報に変換する。さらに、画像処理部２６は、制御部２０の指示に基づいて、変換した画像情報に対して、明るさ、コントラスト、シャープネス、色合等を調整するための画像調整処理を行い、処理後の画像情報をＯＳＤ処理部２７に出力する。
【００３６】
ＯＳＤ処理部２７は、制御部２０の指示に基づいて、メニュー画像やメッセージ画像等のＯＳＤ画像を、入力画像上に重畳する処理を行う。ＯＳＤ処理部２７は、図示しないＯＳＤメモリーを備えており、ＯＳＤ画像を形成する図形やフォント等を表すＯＳＤ画像情報を記憶している。制御部２０がＯＳＤ画像の重畳を指示すると、ＯＳＤ処理部２７は、必要なＯＳＤ画像情報をＯＳＤメモリーから読み出し、入力画像の所定の位置にＯＳＤ画像が重畳されるように、画像処理部２６から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部２７は、画像処理部２６から出力される画像情報をそのままライトバルブ駆動部１４に出力する。
【００３７】
ライトバルブ駆動部１４が、入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像光を形成し、この画像光が投写レンズ１３からスクリーンＳＣに投写される。
【００３８】
電源回路２８には、外部からＡＣ１００Ｖ等の商用電源が供給される。電源回路２８は、商用電源（交流電源）を所定の電圧の直流電源に変換して、プロジェクター１の各部に電力を供給する。
【００３９】
光源制御部２９は、制御部２０の指示に基づいて、光源１１に対する電力の供給と停止とを制御し、光源１１の点灯および消灯を切り換える。
【００４０】
ここで、プロジェクター１の動作について説明する。
先ず、第１の表示操作部３１、第２の表示操作部３２、第３の表示操作部３３の表示動作について説明する。
図４は、プロジェクター１の動作を説明するフローチャートである。ここでは、第１の表示操作部３１、第２の表示操作部３２、第３の表示操作部３３のうち、第１の表示操作部３１に注目して説明する。
図４に示すように、制御部２０は、ステップＳ１０１にて、第１の入力端子Ｔ１に対応して設けられた第１の入力検出部２３１からの検出結果を読み出す。そして、制御部２０は、ステップＳ１０２にて、第１の入力検出部２３１からの検出結果に基づいて、第１の入力端子Ｔ１に映像信号が入力されているか否かを判定する。映像信号が入力されていない場合には、ステップＳ１０３に移行し、映像信号が入力されている場合には、ステップＳ１０４に移行する。
【００４１】
ステップＳ１０３に移行した場合、つまり、第１の入力端子Ｔ１に映像信号が入力されていない場合、制御部２０は、第１の入力端子Ｔ１に対応して設けられた第１の表示操作部３１を消灯させる。
一方、ステップＳ１０４に移行した場合、制御部２０は、第１の入力検出部２３１が出力する情報に基づいて、第１の入力端子Ｔ１に入力された映像信号がプロジェクター１で処理可能な信号か否か、つまり正規信号か不正規信号かを判定する。映像信号が不正規信号、例えば、垂直／水平同期信号の周波数がプロジェクター１で処理可能な周波数の範囲外の信号等の場合には、ステップＳ１０５に移行し、正規信号の場合には、ステップＳ１０６に移行する。
【００４２】
ステップＳ１０５に移行した場合、つまり、第１の入力端子Ｔ１に入力された映像信号が不正規信号の場合、制御部２０は、第１の表示操作部３１を赤色に点滅させる。
一方、ステップＳ１０６に移行した場合、つまり、第１の入力端子Ｔ１に入力された映像信号が正規信号の場合、制御部２０は、第１の表示操作部３１をオレンジ色に点灯させ、このフローを終了する。
第２の表示操作部３２、第３の表示操作部３３は、制御部２０によって第１の表示操作部３１と同様に制御される。
【００４３】
制御部２０は、正規信号が入力された入力端子に対応する表示操作部からの操作信号を受け付ける。つまり、使用者は、オレンジ色に点灯している表示操作部を操作することによって、所望の画像出力装置を選択することができる。第１の表示操作部３１、第２の表示操作部３２、第３の表示操作部３３は、オレンジ色に点灯している状態で操作されると、制御部２０によって、緑色に点灯状態が切り換えられる。そして、プロジェクター１は、操作された表示操作部に対応する入力端子に接続された画像出力装置を選択し、その画像出力装置から入力される映像信号に対応する画像光を投写する。
一方、制御部２０は、不正規信号が入力された入力端子に対応する表示操作部からの操作信号を受け付けず、この入力端子に入力された映像信号に応じた画像光を投写させない。
【００４４】
図５（ａ）、（ｂ）、（ｃ）は、第１の表示操作部３１、第２の表示操作部３２、第３の表示操作部３３の表示例を示す模式図である。
第１の入力端子Ｔ１、第２の入力端子Ｔ２にそれぞれ正規信号が入力され、第３の入力端子Ｔ３に映像信号が入力されていない場合、図５（ａ）に示すように、第１の表示操作部３１、第２の表示操作部３２は、オレンジ色に点灯され、第３の表示操作部３３は、消灯される。つまり、第１の表示操作部３１、第２の表示操作部３２、第３の表示操作部３３は、第１の入力端子Ｔ１、第２のＴ２に接続された画像出力装置（例えば、ＰＣおよびＤＶＤプレーヤー）のいずれかを選択して投写することが可能な状態を表示している。
【００４５】
図５（ａ）に示す第１の表示操作部３１、第２の表示操作部３２、第３の表示操作部３３の状態から第１の表示操作部３１が操作されると、図５（ｂ）に示すように、第１の表示操作部３１は、オレンジ色から緑色に点灯が切り換えられる。そして、第１の表示操作部３１は、第１の入力端子Ｔ１に接続されている画像出力装置（例えば、ＰＣ）から入力される映像信号に対応する画像光が投写されていることを表示する。
【００４６】
また、第１の入力端子Ｔ１、第１の入力端子Ｔ２に不正規信号、正規信号がそれぞれ入力され、第３の入力端子Ｔ３に映像信号が入力されていない場合、図５（ｃ）に示すように、第１の表示操作部３１は、赤色に点滅され、第２の表示操作部３２は、オレンジ色に点灯され、第１の表示操作部３３は、消灯される。つまり、第１の表示操作部３１、第２の表示操作部３２、第３の表示操作部３３は、第１の入力端子Ｔ１に接続された画像出力装置がプロジェクター１で処理できない映像信号を出力していることを表示し、第２の入力端子Ｔ２に接続された画像出力装置を選択して投写することが可能な状態を表示している。
【００４７】
このように、制御部２０は、第１の入力検出部２３１、第２の入力検出部２３２、第３の入力検出部２３３が出力する検出結果に基づいて、映像信号をプロジェクター１が処理可能か否かを判定してその判定結果を第１の表示操作部３１、第２の表示操作部３２、第３の表示操作部３３に表示させる。そして、制御部２０は、入力された映像信号がプロジェクター１で処理可能な信号の場合と、プロジェクター１で処理できない信号の場合とで第１の表示操作部３１、第２の表示操作部３２、第３の表示操作部３３に異なる表示をさせる。さらに、制御部２０は、表示操作部の表示態様を変更させて、いずれの入力端子が選択されているか表示操作部に表示させる。
【００４８】
次に、第１の表示操作部３１、第２の表示操作部３２、第３の表示操作部３３が操作された際の動作について詳細に説明する。
図６は、プロジェクター１の動作を説明するフローチャートである。
図６に示すように、制御部２０は、ステップＳ２０１にて操作信号を検出すると、つまり表示操作部が操作されたことを検出すると、ステップＳ２０２に移行する。そして、制御部２０は、ステップＳ２０２にて、第１の入力検出部２３１、第２の入力検出部２３２、第３の入力検出部２３３からの検出結果に基づいて、操作された表示操作部に対応する入力端子に正規信号が入力されているか否かを判定すると共に、その入力端子が入力ソース選択部２５に選択されているか否かを判定する。
【００４９】
制御部２０は、操作された表示操作部に対応する入力端子に正規信号が入力され、かつその入力端子が入力ソース選択部２５に選択されていない場合には、ステップＳ２０３に移行し、それ以外の場合には、このフローを終了する。つまり、制御部２０は、オレンジ色に点灯している表示操作部が操作された場合、操作信号を受け付けてステップＳ２０３に移行し、それ以外の状態（消灯、緑色点灯、赤色点滅）の表示操作部が操作された場合、操作信号を受け付けずにこのフローを終了する。
【００５０】
ステップＳ２０３に移行した場合、制御部２０は、入力ソース選択部２５がいずれかの入力端子を選択しているか否かを判定する。つまり、制御部２０は、プロジェクター１がいずれかの入力端子から入力された映像信号に基づく画像光を投写している状態か否かを判定する。入力ソース選択部２５がいずれかの入力端子を選択している場合、つまり、プロジェクター１がいずれかの入力端子から入力された映像信号に基づく画像光を投写している場合には、ステップＳ２０４に移行し、入力ソース選択部２５がいずれの入力端子も選択していない場合、つまり、プロジェクター１が入力端子から入力された映像信号に基づく画像光を投写していない場合には、ステップＳ２０５に移行する。
【００５１】
ステップＳ２０４に移行した場合、制御部２０は、入力ソース選択部２５が選択している入力端子に対応する表示操作部を緑色の点灯からオレンジ色の点灯に切り換え、ステップＳ２０５に移行する。
【００５２】
制御部２０は、ステップＳ２０５にて、操作された表示操作部をオレンジ色の点灯から緑色の点灯に切り換え、ステップＳ２０６に移行する。制御部２０は、ステップＳ２０６にて、入力ソース選択部２５に指示し、選択されていた入力端子から操作された表示操作部に対応する入力端子に選択を切り換え、この入力端子から入力される映像信号を画像処理部２６に出力させる。そして、制御部２０は、画像処理部２６に入力された映像信号をＯＳＤ処理部２７で処理させた後、画像投写部１０に出力させる。画像投写部１０は、ステップＳ２０７にて、ＯＳＤ処理部２７から出力された画像情報に応じて形成した画像光を投写し、このフローを終了する。
【００５３】
具体的に、第１の入力端子Ｔ１、第２の入力端子Ｔ２にＰＣ、ＤＶＤプレーヤーからの正規信号がそれぞれ入力された際に、第１の表示操作部３１、第２の表示操作部３２、第３の表示操作部３３が操作された場合のプロジェクター１の動作について、図５を用いて説明する。
【００５４】
第１の入力端子Ｔ１、第２の入力端子Ｔ２にＰＣ、ＤＶＤプレーヤーからの正規信号がそれぞれ入力された状態において、第１の表示操作部３１、第２の表示操作部３２は、オレンジ色に点灯され、第３の表示操作部３３は、消灯される（図５（ａ）参照）。
この状態から、第１の表示操作部３１が操作されると、制御部２０によって、第１の表示操作部３１は、図５（ｂ）に示すように、オレンジ色から緑色に切り換えられ（ステップＳ２０５）、入力ソース選択部２５は、第１の表示操作部３１に対応する第１の入力端子Ｔ１を選択し、この第１の入力端子Ｔ１に入力されるＰＣの映像信号を画像処理部２６に出力する（ステップＳ２０６）。そして、画像処理部２６に入力された映像信号は、ＯＳＤ処理部２７で処理された後、画像投写部１０によって投写される（ステップＳ２０７）。
【００５５】
ＰＣが選択された状態から第２の表示操作部３２が押圧されると、制御部２０によって、第１の表示操作部３１は、緑色からオレンジ色に切り換えられ（ステップＳ２０４）、第２の表示操作部３２は、オレンジ色から緑色に切り換えられる（ステップＳ２０５）。そして、入力ソース選択部２５は、制御部２０によって、第２の表示操作部３２に対応する第２の入力端子Ｔ２を選択し、この第２の入力端子Ｔ２に入力されるＤＶＤプレーヤーの映像信号を画像処理部２６に出力する（ステップＳ２０６）。そして、画像処理部２６に入力された映像信号は、ＯＳＤ処理部２７で処理された後、画像投写部１０によって投写される（ステップＳ２０７）。
【００５６】
ＰＣが選択された状態、あるいはＤＶＤプレーヤーが選択された状態から、消灯されている第３の表示操作部３３が操作された場合、制御部２０は、第３の表示操作部３３の入力操作を受け付けず、ＰＣを選択した状態、あるいはＤＶＤプレーヤーを選択した状態を維持する。
【００５７】
このように、制御部２０は、第１の表示操作部３１、第２の表示操作部３２、第３の表示操作部３３から出力される操作信号に従って入力端子を選択する。そして制御部２０は、選択された入力端子から入力された映像信号がプロジェクター１で処理可能な場合、この映像信号に応じた画像光を投写させる。
【００５８】
以上説明したように、本実施形態のプロジェクター１によれば、以下の効果を得ることができる。
（１）使用者は、第１の表示操作部３１、第２の表示操作部３２、第３の表示操作部３３を観察することで、第１の入力端子Ｔ１、第２の入力端子Ｔ２、第３の入力端子Ｔ３のうち、どの入力端子に映像信号が入力されているかを明確に認識できる。つまり、使用者は、どの画像出力装置を選択できるかを即座に判断することができる。
【００５９】
（２）制御部２０は、第１の入力端子Ｔ１、第２の入力端子Ｔ２、第３の入力端子Ｔ３に入力された映像信号が正規信号の場合と、不正規信号の場合とで、第１の表示操作部３１、第２の表示操作部３２、第３の表示操作部３３に異なる表示をさせる。これによって、使用者は、入力端子に入力された映像信号が不正規信号の場合、この映像信号によって画像光を投写できないことを即座に判断できるので、不要な探索作業（投写できない原因を探索する作業）が低減される。よって、プロジェクター１の取扱い性が向上する。
【００６０】
（３）使用者は、正規信号が入力されていることが表示されている表示操作部のいずれかを操作することによって、所望の画像出力装置を即座に選択し、その画像光を投写させることができる。したがって、画像出力装置を選択するための操作が簡略化され、プロジェクター１の操作性向上が図れる。
【００６１】
（４）制御部２０は、第１の入力端子Ｔ１、第２の入力端子Ｔ２、第３の入力端子Ｔ３に入力された映像信号が不正規信号の場合には、この映像信号に応じた画像光を投写させない。よって、不正規信号がもたらす乱れた画像が投写されることがないので、不正規信号が入力されたとしても、プロジェクター１が故障しているという誤解を使用者に与える恐れがない。
【００６２】
（５）制御部２０は、正規信号が入力された入力端子に対応する表示操作部について、入力操作された表示操作部と、入力操作されない表示操作部とで異なった態様に表示させる。これによって、使用者は、いずれの画像出力装置からの映像信号に応じた画像光が投写されているか、どの画像出力装置からの映像信号に応じた画像光が投写可能かを即座に知ることができる。したがって、使用者は、所望の画像出力装置を即座に選択することが可能となり、利便性の向上が図れる。
【００６３】
（６）第１の表示操作部３１、第２の表示操作部３２、第３の表示操作部３３は、ＬＥＤを備えているので、このＬＥＤを発光させることで、第１の入力端子Ｔ１、第２の入力端子Ｔ２、第３の入力端子Ｔ３に映像信号が入力されていることを使用者に明確に認識させることができる。また、第１の表示操作部３１、第２の表示操作部３２、第３の表示操作部３３は、暗い環境下でも使用者に認識させることができるので、プロジェクター１の使用シーンを広げた適用が可能となる。さらに、第１の表示操作部３１、第２の表示操作部３２、第３の表示操作部３３は、３色（緑色、赤色、オレンジ色）の表示、および点灯／点滅に表示態様が切り換え可能に構成されているので、部品点数を増加させることなく、前述した状態を区別して表示することができる。
【００６４】
（７）第１の表示操作部３１、第２の表示操作部３２、第３の表示操作部３３は、押圧式スイッチを備えているので、使用者は、第１の表示操作部３１、第２の表示操作部３２、第３の表示操作部３３を押圧する操作だけで、操作された表示操作部に応じた操作信号を容易に出力させることができる。
【００６５】
（第２実施形態）
次に、第２実施形態に係るプロジェクター１について、図面を参照して説明する。
以下の説明では、第１実施形態と同様の構成要素には、同一符号を付し、その詳細な説明は省略または簡略化する。
本実施形態のプロジェクター１は、第１実施形態の第１の表示操作部３１、第２の表示操作部３２、第３の表示操作部３３と構成の異なる第１の表示操作部５１、第２の表示操作部５２、第３の表示操作部５３を備えている。
第１実施形態の第１の表示操作部３１、第２の表示操作部３２、第３の表示操作部３３は、入力操作部４０と共に操作パネル３０として一体的に構成されているが、本実施形態の第１の表示操作部５１、第２の表示操作部５２、第３の表示操作部５３は、入力操作部４０と分離され、１つのタッチパネルとして構成されている。
【００６６】
図７（ａ）、（ｂ）、（ｃ）は、第１の表示操作部５１、第２の表示操作部５２、第３の表示操作部５３の外観を示す模式図であり、各表示操作部の表示例を示す図である。
第１の表示操作部５１、第２の表示操作部５２、第３の表示操作部５３は、文字や図柄等の各種情報を表示する表示部、および表示部に重なる入力領域を有するタッチ入力部を備えて構成され、図７に示すように、入力領域が略３等分されるように並設して形成されている。
第１の表示操作部５１、第２の表示操作部５２、第３の表示操作部５３は、第１の表示操作部３１、第２の表示操作部３２、第３の表示操作部３３と同様に、第１の入力端子Ｔ１、第２の入力端子Ｔ２、第３の入力端子Ｔ３にそれぞれ対応して設けられ、第１の入力端子Ｔ１、第２の入力端子Ｔ２、第３の入力端子Ｔ３への映像信号の入力の状態をそれぞれ表示する機能、および使用者の入力操作に基づき入力端子を選択するための操作信号をそれぞれ出力する機能を有している。
【００６７】
第１の表示操作部５１、第２の表示操作部５２、第３の表示操作部５３には、図７に示すように、第１の入力端子Ｔ１、第２の入力端子Ｔ２、第３の入力端子Ｔ３に対応する３つの項目「Computer」、「S-Video」、「Video」がそれぞれ表示される固定表示部、および固定表示部の右横に「○」、「●」、「×」、「−」の表示に切り換え可能な状態表示部がそれぞれ設けられている。
第１の表示操作部５１、第２の表示操作部５２、第３の表示操作部５３は、固定表示部あるいは状態表示部の表面が使用者にタッチされることによって、タッチされた表示操作部に応じた操作信号を制御部２０に出力する。
【００６８】
制御部２０は、第１実施形態と同様に、第１の入力検出部２３１、第２の入力検出部２３２、第３の入力検出部２３３が出力する情報、および表示操作部５１，５２，５３が出力する操作信号に基づいて、第１の表示操作部５１、第２の表示操作部５２、第３の表示操作部５３を「○」、「●」、「×」、「−」のいずれかに表示させる。
具体的に、第１の入力端子Ｔ１、第２の入力端子Ｔ２にそれぞれ正規信号が入力され、第３の入力端子Ｔ３に映像信号が入力されていない場合、図７（ａ）に示すように、第１の表示操作部５１、第２の表示操作部５２は、「○」に表示され、第３の表示操作部５３は、「−」に表示される。つまり、第１の表示操作部５１、第２の表示操作部５２、第３の表示操作部５３は、第１の入力端子Ｔ１、第２の入力端子Ｔ２に接続された画像出力装置（例えば、ＰＣおよびＤＶＤプレーヤー）のいずれかを選択して投写することが可能な状態を表示している。
【００６９】
図７（ａ）に示す第１の表示操作部５１、第２の表示操作部５２、第３の表示操作部５３の状態から第１の表示操作部５１が操作されると、図７（ｂ）に示すように、第１の表示操作部５１は、状態表示部が「○」の表示から「●」の表示に切り換えられる。そして、プロジェクター１は、第１の入力端子Ｔ１に接続されている画像出力装置（例えば、ＰＣ）から入力される映像信号に対応する画像光を投写する。
【００７０】
また、第１の入力端子Ｔ１、第２の入力端子Ｔ２に不正規信号、正規信号がそれぞれ入力され、第３の入力端子Ｔ３に映像信号が入力されていない場合、図７（ｃ）に示すように、第１の表示操作部５１は、「×」、第２の表示操作部５２は、「○」、第３の表示操作部５３は、「−」にそれぞれ表示される。つまり、第１の表示操作部５１、第２の表示操作部５２、第３の表示操作部５３は、第１の入力端子Ｔ１に接続された画像出力装置がプロジェクター１で処理できない映像信号を出力していることを表示し、第２の入力端子Ｔ２に接続された画像出力装置を選択して投写することが可能な状態を表示している。
【００７１】
以上説明したように、本実施形態のプロジェクター１によれば、第１実施形態の効果（１）〜（４）に加えて、以下の効果を得ることができる。
（１）第１の表示操作部５１、第２の表示操作部５２、第３の表示操作部５３は、タッチパネルとして構成されているので、入力端子に映像信号が入力されていること等を表示する部位と、入力操作を行う部位とを目視上一致させることができる。これによって、使用者は、入力操作を行う箇所を直感的に判断することが可能となり、操作性の向上が図れる。
【００７２】
（２）第１の表示操作部５１、第２の表示操作部５２、第３の表示操作部５３は、表示部とタッチ入力部とが積層されて形成されるので、小型化が可能となる。よって、プロジェクター１は、第１の表示操作部５１、第２の表示操作部５２、第３の表示操作部５３を配置する自由度が高まり、小型化が図れる。
【００７３】
（３）第１の表示操作部５１、第２の表示操作部５２、第３の表示操作部５３は、表面に凹凸がなく形成できるので、デザイン性向上が図れる。
【００７４】
（変形例）
なお、前記実施形態は、以下のように変更してもよい。
第１実施形態の入力操作部４０と、第１の表示操作部３１、第２の表示操作部３２、第３の表示操作部３３とを分離して構成してもよい。また、第１の表示操作部３１、第２の表示操作部３２、第３の表示操作部３３をそれぞれ分離して構成してもよい。
【００７５】
第１実施形態の第１の表示操作部３１、第２の表示操作部３２、第３の表示操作部３３は、赤色ＬＥＤおよび緑色ＬＥＤを有する２色のＬＥＤをそれぞれ備えているが、異なる色で構成してもよく、２色以外の数のＬＥＤで構成してもよい。
【００７６】
第２実施形態の第１の表示操作部５１、第２の表示操作部５２、第３の表示操作部５３は、入力操作部４０と分離されて構成されているが、入力操作部４０をタッチパネルとして形成し、この入力操作部４０と一体的に構成してもよい。
【００７７】
第２実施形態の第１の表示操作部５１、第２の表示操作部５２、第３の表示操作部５３は、「○」、「●」、「×」、「−」によって、各状態を表示しているが、他の絵柄等によって表示してもよく、背景の色を変える等によって表示するように構成してもよい。
【００７８】
前記実施形態のプロジェクター１は、光変調装置として透過型の液晶ライトバルブ１２Ｒ，１２Ｇ，１２Ｂを用いているが、反射型の液晶ライトバルブを利用したものであってもよい。また、光変調装置は、マイクロミラーアレイを用いたデバイス等を使用したものであってもよい。
【００７９】
前記実施形態のプロジェクター１は、光源１１として放電型の光源ランプ１１ａによって構成されているが、ＬＥＤ光源等の固体光源や、その他の光源を用いることもできる。
【００８０】
本実施形態のプロジェクター１は、フロントタイプのプロジェクターとして適用しているが、投写対象面としてのスクリーンを一体で有するリアタイプのプロジェクターにも適用できる。
【符号の説明】
【００８１】
１…プロジェクター、１０…画像投写部、１１…光源、１２Ｒ，１２Ｇ，１２Ｂ…液晶ライトバルブ、１３…投写レンズ、２０…制御部、２１…記憶部、２４…画像情報入力部、２５…入力ソース選択部、２６…画像処理部、２７…ＯＳＤ処理部、３０…操作パネル、３１，５１…第１の表示操作部、３２，５２…第２の表示操作部、３３，５３…第３の表示操作部、４０…入力操作部、２３１…第１の入力検出部、２３２…第２の入力検出部、２３３…第３の入力検出部、Ｔ１…第１の入力端子、Ｔ２…第２の入力端子、Ｔ３…第３の入力端子。
【図１】
2010256753.tif 000003
【図２】
2010256753.tif 000004
【図３】
2010256753.tif 000005
【図４】
2010256753.tif 000006
【図５】
2010256753.tif 000007
【図６】
2010256753.tif 000008
【図７】
2010256753.tif 000009